(57)【要約】【課題】本発明が解決しようとする課題は、顔の皮膚に常に適度な刺激を与えることができ、更に、目元等の起伏が激しく且つ小面積の部分の皮膚にも容易に刺激を与える事ができると共に、顔等の皮膚に肌に刺激を加える際の手の動きを軽減する皮膚刺激具を提供する事である。【解決手段】本発明に依れば、皮膚に刺激を与えるための空気の流れを前記皮膚に小範囲に当てながら、前記空気の流れを当てる部分を繰り返し移動をする事を特徴とする皮膚の刺激方法とその器具であり、更には中空状部材の一方の端部を細く形成し、前記中空部材の他の端部から空気の流れを送り込み、前記一方の端部を介して送り出すように形成し、前記他の端部を送風機に接続か可能に形成したことであり、又、中空状部材の一方の端部を細く形成し、前記端部付近に皮膚刺激部を構成することである。【選択図】図１
2012254261.tif 000002
【特許請求の範囲】
【請求項１】
皮膚に刺激を与えるための空気の流れを前記皮膚に小範囲に当てながら、前記空気の流れを当てる部分を繰り返し移動をする事を特徴とする皮膚の刺激方法とその器具。
【請求項２】
中空状部材の一方の端部を細く形成し、前記中空部材の他の端部から空気の流れを送り込み、前記一方の端部を介して送り出すように形成し、前記他の端部を送風機に接続か可能に形成した請求項１記載の皮膚の刺激方法とその器具。
【請求項３】
中空状部材の一方の端部を細く形成し、前記端部付近に皮膚刺激部を構成する請求項１又は請求項２記載の皮膚の刺激方法とその器具。
【発明の詳細な説明】
【技術分野】
【０００１】  本発明は、空気の動きと刺激部材を組み合わせた皮膚の刺激方法とその器具に関する。
【背景技術】
【０００２】  従来、美顔器等は、ハンドル等の持ちを設けたローラーを皮膚上で回転させることによってローラーの面が接する皮膚を刺激し、皮膚に張りを与え、瑞々しい顔の皮膚に蘇生しようとしている。
又、ローラーにゲルマニュームの小片を設けた物等が実用に給されている。
【発明の概要】
【発明が解決しようとする課題】
【０００３】  しかし、上記従来技術に依れば、ローラーの面と接触する皮膚の面との摩擦に頼って顔の皮膚に刺激を与えているため、目元や鼻の周り、口元等、起伏が激しく且つ小面積の部分の皮膚に、むら無く平均的に刺激を与える事が困難であった。
これは、顔の突出した部分、のみにローラーが触れる為で、蘇生の早い部分と遅い部分とができるため、平均的な蘇生が困難であった。【０００４】  又、ローラーの動き、即ちローラーの円周が手の動きと同距離となるために、手の動きが大きくなり疲れを生じた。【０００５】  従って、本発明が解決しようとする課題は、目元や鼻の周り、口元等、起伏が激しく且つ小面積の部分の皮膚に、むら無く平均的に刺激を与え、顔面全体の皮膚を平均的に蘇生し、且つ、手の動きを抑制し、使用時の疲れを軽減する皮膚の刺激方法とその器具を提供することである。
【課題を解決するための手段】
【０００６】  本発明の請求項１依れば、皮膚に刺激を与えるための空気の流れを前記皮膚に小範囲に当てながら、前記空気の流れを当てる部分を繰り返し移動をする事である。【０００７】  請求項２に於いては、中空状部材の一方の端部を細く形成し、前記中空部材の他の端部から空気の流れを送り込み、前記一方の端部を介して送り出すように形成し、前記他の端部を送風機に接続か可能に形成したことである。【０００８】  請求項３に於いては、中空状部材の一方の端部を細く形成し、前記端部付近に皮膚刺激部を構成するする事である。
【発明の効果】
【０００９】  本発明に依れば、皮膚表面に気体の流れ即ち、空気の流れを当てる事による皮膚表面への刺激をあたえることで、皮膚が受ける刺激が皮下の脂肪に働きかける結果、血液やリンパ液の流れを促進し美肌効果を促進させる事ができ、皮膚の活性化と蘇生は進行し、瑞々しい肌が蘇る。【００１０】  中空部材１は片手で容易に操作できる大きさと重さであり、送風機Ｅに直接設けることも可能であり、又（図示しない）が、フレキシブルな送風管やパイプ等を介して、中空部材１と送風機の間に距離を設けて連結する事も可能であるから、一台の送風機に複数の中空部材１を接続し、複数の人々によって同時、又はそれぞれ任意の時間に使用することもできる。【００１１】  空気の流れが人体の肌に当たる場合、決まった形の形状ではないため、いかなる起伏や凹凸のある小面積の肌、例えば目元や口元、鼻の周り等でも、常に平均的に当たり、肌の表面を移動するため、程よい刺激を与える事ができるばかりか、体感温度を細かく変化させ皮膚に刺激を与える結果、皮膚への刺激は皮下の脂肪に働きかける結果、血液やリンパ液の流れを促進し美肌効果を促進させる事ができる。【００１２】  又、必要に応じ、皮膚刺激部３を皮膚に軽く接触させ（図６）、又は接触させてまま移動させる事で皮膚への刺激は加わるため皮膚の活性化と蘇生は進行し、顔面全体の皮膚を平均的に蘇生し、且つ、手の動きを抑制し、使用時の疲れを軽減する皮膚の刺激方法とその器具を提供することができた。【００１３】  されに空気の流れと共に皮膚刺激部３に依る刺激を与える事で、二種類の刺激を同時に与える事ができる他、一度に刺激を与える皮膚の面積を増大させる事ができるため、従来の美顔器等の手の動きに比べ、小さな手の動きで広範囲に渡る皮膚への刺激をする事ができた。【００１４】  従って、顔等の皮膚や肌に刺激を加える際の手の動きは従来のローラーの円周とは異なり、広い範囲で刺激する事ができるから、手の動きを軽減される皮膚刺激具を提供する事ができた。
【図面の簡単な説明】
【００１５】
【図１】本発明の請求項２記載の皮膚刺激器具を示す一部切欠きの斜視図。
【図２】本発明の請求項３記載の皮膚の刺激方法とその器具を示す一部切欠きの斜視図。
【図３】本発明の実施例１を示す皮膚の刺激方法とその器具の中空部材の一部を切欠いた斜視図。
【図４】本発明の実施例２を示す皮膚の刺激方法とその器具の一部切欠きの斜視図。
【図５】本発明の実施例３を示す皮膚の刺激方法とその器具の一部切欠きの斜視図。
【図６】本発明の使用状態の一例を示す参考の斜視図。
【発明を実施するための形態】
【００１６】  以下、本発明を実施するための形態を説明すると、請求項１に於ける本発明の皮膚の刺激方法は、皮膚表面に気体の流れ即ち、空気の流れを当てる事による皮膚表面への刺激をあたえ、丁度、春風が頬をなでる心地よさと同様、肌に心地よい刺激を与える事が望ましく、その刺激で皮膚を活性化し瑞々しく整える事ができる。
【００１７】  この時、皮膚に当てる空気の流れは、例えば一度に顔全体に当てるのではなく、小範囲に当てることによって、空気の流れの当たる部分の皮膚は体感温度が下がり、皮膚は若干の緊張状態に変わる。
空気の流れを、他の部分に移動する事により、皮膚の体感温度が上り、皮膚は緊張感から開放される。
これを繰り返すことによって、皮膚が受ける刺激が皮下の脂肪に働きかける結果、血液やリンパ液の流れを促進し、美肌効果を促進させる事ができ、皮膚の活性化と蘇生は進行し、瑞々しい肌が蘇る。
【００１８】  上記空気の流れは、凡そ風速７メートル程度以内でよく、例えば風速１メートルの風に皮膚がさらされた場合、体感温度は１℃下がることが知られている。
大きく体感温度を変えると、皮膚感覚の速やかな回復が阻害され、緊張と緩和の速度を低下させる。
【００１９】  以上の皮膚の刺激方法を現実化するために請求項２の皮膚の刺激方法とその器具を図１に基づいて説明すると、図１は本発明の皮膚の刺激方法とその器具を示す一部切欠きの斜視図で、金属又は合成樹脂又はシリコンゴム、又は木、又は竹等の素材を用いて中空状部材１を形成し、この中空状部材１の端部２を細く形成する。
また他の端部１Ａから空気の流れを送入し、端部２を介して送り出すように形成してある。
【００２０】  中空部材１は図１に於いて、円筒状に記載されているが、多角形状、又は楕円状であってもよく、片手で容易に操作できる大きさと重さであることが望ましい。
又、端部２には肌に触れた場合、前記肌を傷つけることの無いよう角の部分に丸み等を形成すると良く、中空部材１は図６のように送風機Ｅに直接設けることも可能である。
又（図示しない）が、フレキシブルな送風管やパイプ等を介して、中空部材１と送風機の間に距離を設けて連結する事も可能である事は言うまでも無い。
尚、この場合、一台の送風機に複数の中空部材１を接続し、複数の人々によって同時、又は、それぞれ任意の時間に使用することも可能である。
【００２１】  従って、本発明の皮膚の刺激方法とその器具を用いて皮膚を刺激するには、送風機Ｅに中空部材１を設け、又は、端部１Ａにフレキシブルな送風管やパイプ等を接続し、風速７メートル程度以内の空気の流れを端部２から送出し、目的の肌に空気の流れを当てる。
【００２２】  この時、中空部材１を手等で保持してもよく、又は、送風機Ｅ、又はハンドルＦ等を手によって保持し、目的の皮膚に適宜空気の流れを吹き付けながら、移動を繰り返し、刺激を与えてもよい。
空気の流れが人体の肌に当たる場合、固定した形状ではないため、いかなる起伏や凹凸のある小面積の肌、例えば目元や口元、鼻の周り等でも、常に平均的に当たり、肌の表面を移動するため、程よく刺激を与える事ができるばかりか、体感温度を細かく変化させ皮膚に刺激を与える結果、皮膚への刺激は皮下の脂肪に働きかける結果、血液やリンパ液の流れを促進し美肌効果を促進させる事ができる。
又、必要に応じ、皮膚刺激部３を皮膚に軽く接触させ（図６）、又は接触させてまま移動させる事で皮膚への刺激は加わるため皮膚の活性化と蘇生は更に進行し、顔面全体の皮膚を平均的に蘇生し、且つ、手の動きを抑制し、使用時の疲れを軽減する皮膚の刺激方法とその器具を提供することができた。
【００２３】  以下、本発明の請求項３を図２に基づいて説明すると、中空状部材１の一端に送風管又は送風機Ｅに接続する為の端部１Ａを形成し、他の端部２は中空状部材１の口径より小さく端部２が形成する。
【００２４】  更に端部２の対向する側部に開口部４、４を形成し、この開口部４、４にはローラー状の刺激部３を回動自在に軸着するとよく、この時、皮膚刺激部３と端部２との関係は、皮膚刺激部３の両側に適宜の間隔の通気部２Ａ、２Ａが形成される。
【００２５】  この時、中空部材１を介して送り出される空気の流れは、皮膚刺激部３によって二手に分けられ、通気部２Ａ、２Ａから排出される事が望ましく、一度に刺激を与える皮膚の面積を増大させる事ができるため、従来の美顔器等の手の動きに比べ、小さな手の動きで広範囲に渡る皮膚への刺激をする事ができる。
【００２６】  又、比較的平坦な皮膚の頬や額等に於いては、皮膚に刺激部３を軽く当て、転がして皮膚を刺激する事も可能であるから、手の動きを抑制されるばかりでなく、二種類の方法で刺激を与える事が可能となるため、使用時は短縮されその作業時間は軽減するから、請求項２の皮膚の刺激方法とその器具と作用及び効果は同様となる。
【実施例】
【００２７】  以下、本発明の実施例を図面に基づいて説明すると、図３は実施例１を示すもので、中空部材１の一部を切欠いた状態を示す斜視図で、中空状部材１の一端に送風管又は送風機Ｅ（図６）に接続する為の端部１Ａを形成し、他の端部２は中空状部材１の口径より小さく端部２を形成するとよい。【００２８】  更に端部２にはボール状の皮膚刺激部３を通気部２Ａを介して回転自在に配置するとよく、この時、皮膚刺激部３と端部２との関係は、皮膚刺激部３の両側に適宜の間隔の通気部２Ａ、２Ａを複数形成する事が望ましく、ボール状の皮膚刺激部３の脱落を防止するための突起３Ａと突起３Ｂを夫々複数形成すると良い。【００２９】  又、突起３Ａ、突起３Ｂを形成する位置、及びその高さによって、通気部２Ａの隙間が安定的に確保され、且つ、皮膚刺激部３の自在な回転が確保できる。
従って、中空部材１を介して送り出される空気の流れは、皮膚刺激部３によって複数方向に分離され通気部２Ａ、２Ａ、２Ａから排出される。
これに依り、空気の流れは皮膚に当たり、皮膚刺激部３の周囲に拡散され一度に刺激を与える皮膚の面積を増大させる事ができるため、従来型の美顔きに比べ移動する手の動きは小さく、刺激を与える皮膚の範囲を広がる。
従って、この実施例に於いては、本発明の請求項３と同様の作用及び効果をうる事ができるものである。【００３０】  図４は本発明の実施例２を示す一部切欠きの斜視図で、中空状部材１の一端に送風管又は送風機Ｅに接続する為の端部１Ａを形成し、他の端には中空状部材１の口径より小さく端部２が形成し、端部２から送出される空気の流れに勢いを与える形状とすることが望ましい。【００３１】  更に端部２の対向する側部に切り欠き状の受け部開口部４Ａ、４Ａを形成し、この受け部４Ａ、４Ａに板状の皮膚刺激部３を挿着する等の手段によて固着してもよく、この時、板状の皮膚刺激部３柔軟でしなやかな素材を用いても良く、皮膚に接触させる場合、危険を生じない素材を用いて、先端を薄く滑らかに形成し、スムーズに皮膚の面を滑動させる事が可能な形状に形成すると良く、皮膚刺激部３と端部２との関係は、皮膚刺激部３の両側に適宜の間隔の通気部２Ａ、２Ａを形成してある。【００３２】  この時、中空部材１を介して送り出される空気の流れは、皮膚刺激部３によって二分され、通気部２Ａ、２Ａから排出される。
このため一度に刺激を与える皮膚の面積を増大させる事ができ、従来の美顔きに比して移動する手の動きが小さくとも刺激を与える皮膚の範囲は広い。【００３３】  従って、必要に応じて比較的平坦な皮膚の頬や額等に於いては、皮膚に皮膚刺激部３を軽く当てて、ごく軽微なマッサージを施す事も可能であるから、同時に二種類の方法で皮膚に刺激を与える事が可能となり、その作業時間は軽減し、請求項２の皮膚の刺激方法とその器具と作用及び効果は同様となる。【００３４】  図５は本発明の実施例３を示す一部切欠きの斜視図で、中空状部材１の一端に送風管又は送風機に接続する為の端部１Ａを形成し、他の端部２は中空状部材１の口径より小さく端部２を形成し、端部２から送出される空気の流れに勢いを与える形状にしてある。
更に端部２の側部の面に板状の皮膚刺激部３を接着又は粘着その他の方法によって固着しすることもできる。【００３５】  この時、皮膚刺激部３と端部２との関係は、（図示しない）端部２の外面、い皮膚刺激部３設けても良く、更には皮膚刺激部３に溝等を設けて端部２を挟持してもよく、又、端部２、に溝等を形成して皮膚刺激部３を挟時することも可能であることはいうまでも無い
従って、この実施例に於いては中空部材１を介して送り出される空気の流れは、通気部２Ａから排出される。【００３６】  従来の美顔器に比べて移動する手の動きが小さく、刺激を与える皮膚の範囲は広いため必要に応じて比較的平坦な皮膚の頬や額等に於いては、皮膚に刺激部３を軽く当て、ごく軽微なマッサージを施す事も可能である。【００３７】  又他の実施例と同様、同時に二種類の方法で皮膚に刺激を与える事が可能となるため、使用時は短縮されその作業時間は軽減し、請求項２の皮膚の刺激方法とその器具と作用及び効果は同様となる。
【産業上の利用の可能性】
【００３８】中空部材に直接送風機を取り付ける場合、電気器具として一般個人消費に繋がると共に、一台の送風機に、複数の中空部材から成る本皮膚の刺激方法とその器具を複数接続できるから、エステサロン等の事業所等にも適応できる。
【符号の説明】
【００３９】１  中空上部剤
１Ａ  端部
２  端部
２Ａ  通気部
３  皮膚刺激部
３Ａ  突起
３Ｂ  突起
４  軸
４Ａ  受け部
Ｅ  送風機
Ｆ  ハンドル
Ｇ  手
【図１】
2012254261.tif 000003
【図２】
2012254261.tif 000004
【図３】
2012254261.tif 000005
【図４】
2012254261.tif 000006
【図５】
2012254261.tif 000007
【図６】
2012254261.tif 000008